【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  複数の画素と、前記画素毎に光を反射する反射部及び光を透過する透過部と、を備え、前記画素内において前記反射部及び前記透過部と平面的に重なる着色層を具備する電気光学装置の製造方法において、
少なくとも一部の前記画素において、前記反射部に対応する前記着色層に角部を持たない平面形状を有する開口部を形成することを特徴とする電気光学装置の製造方法。
【請求項２】  前記開口部の平面形状は円若しくは長円であることを特徴とする請求項１に記載の電気光学装置の製造方法。
【請求項３】  前記開口部の平面形状は非対称形状であることを特徴とする請求項１記載の電気光学装置の製造方法。
【請求項４】  複数の画素と、前記画素毎に光を反射する反射部及び光を透過する透過部と、を備え、前記画素内において前記反射部及び前記透過部と平面的に重なる着色層を具備する電気光学装置の製造方法において、
少なくとも一部の前記画素において、前記反射部に対応する前記着色層に、９０度を越える内角のみを有する多角形の平面形状を有する開口部を形成することを特徴とする電気光学装置の製造方法。
【請求項５】  前記開口部の平面形状は非対称であることを特徴とする請求項４記載の電気光学装置の製造方法。
【請求項６】  複数の画素と、前記画素毎に光を反射する反射部及び光を透過する透過部と、を備え、前記画素内において前記反射部及び前記透過部と平面的に重なる着色層と、を具備する電気光学装置の製造方法において、
少なくとも一部の前記画素において、前記反射部に対応する前記着色層に切り欠け部を形成することを特徴とする電気光学装置の製造方法。
【請求項７】  複数の画素と、前記画素毎に光を反射する反射部及び光を透過する透過部と、を備え、前記画素内において前記反射部及び前記透過部と平面的に重なる着色層を具備する電気光学装置の製造方法において、
少なくとも一部の前記画素における前記反射部に対応する前記着色層に開口部を形成すると共に、該開口部はその外周における任意の２つの接線それぞれの法線の交点の位置が分散するような形状を有することを特徴とする電気光学装置の製造方法。
【請求項８】  複数の画素と、前記画素毎に光を反射する反射部及び光を透過する透過部と、を備え、前記画素内において前記反射部及び前記透過部と平面的に重なる着色層を具備する電気光学装置において、
少なくとも一部の前記画素において、前記着色層には、前記反射部の少なくとも一部に重なる位置に開口部が形成され、
前記開口部は、前記画素を横断する平面形状を有することを特徴とする電気光学装置。
【請求項９】  前記開口部は、前記画素の境界領域以外の部分に角部を持たない平面形状を有することを特徴とする請求項８に記載の電気光学装置。
【請求項１０】  一の前記画素に設けられた前記開口部は、前記一の画素に隣接する他の前記画素に設けられた前記開口部に対して、前記一の画素と前記他の画素との境界領域を挟んで隣接しないように配置されていることを特徴とする請求項８または請求項９に記載の電気光学装置。
【請求項１１】  複数の画素と、前記画素毎に光を反射する反射部及び光を透過する透過部と、を備え、前記画素内において前記反射部及び前記透過部と平面的に重なる着色層を具備する電気光学装置において、
少なくとも一部の前記画素において、前記反射部に対応する前記着色層は開口部となる切り欠け部を有し、
一の前記画素に設けられた前記開口部は、前記一の画素に隣接する他の前記画素に設けられた前記開口部に対して、前記一の画素と前記他の画素との境界領域を挟んで隣接しないように配置されていることを特徴とする電気光学装置。
【請求項１２】  請求項１乃至７記載のいずれか１項に記載の電気光学装置の製造方法により製造された電気光学装置または請求項８乃至請求項１１のいずれか１項に記載の電気光学装置と、該電気光学装置を制御する制御手段とを有することを特徴とする電子機器。
【手続補正２】
【補正対象書類名】明細書
【補正対象項目名】００１０
【補正方法】変更
【補正の内容】
【００１０】
【課題を解決するための手段】
上記課題を解決するために本発明の電気光学装置の製造方法は、複数の画素と、前記画素毎に光を反射する反射部及び光を透過する透過部と、を備え、前記画素内において前記反射部及び前記透過部と平面的に重なる着色層を具備する電気光学装置の製造方法において、少なくとも一部の前記画素において、前記反射部に対応する前記着色層に角部を持たない平面形状を有する開口部を形成することを特徴とする。
本発明の電気光学装置の製造方法は、電気光学物質を含む複数の画素と、前記画素毎に光を反射する反射部及び光を透過する透過部を構成する半透過反射層と、前記画素内において前記半透過反射層と平面的に重なる着色層と、を具備する電気光学装置の製造方法において、少なくとも一部の前記画素においては、前記反射部に対応する前記着色層に、角部を持たない平面形状を有する開口部を形成することを特徴とする。
【手続補正３】
【補正対象書類名】明細書
【補正対象項目名】００１９
【補正方法】変更
【補正の内容】
【００１９】
次に、本発明の別の電気光学装置の製造方法は、複数の画素と、前記画素毎に光を反射する反射部及び光を透過する透過部と、を備え、前記画素内において前記反射部及び前記透過部と平面的に重なる着色層を具備する電気光学装置の製造方法において、少なくとも一部の前記画素において、前記反射部に対応する前記着色層に、９０度を越える内角のみを有する多角形の平面形状を有する開口部を形成することを特徴とする。
本発明の電気光学物質を含む複数の画素と、前記画素毎に光を反射する反射部及び光を透過する透過部を構成する半透過反射層と、前記画素内において前記半透過反射層と平面的に重なる着色層と、を具備する電気光学装置の製造方法において、少なくとも一部の前記画素においては、前記反射部に対応する前記着色層に、９０度を越える内角のみを有する多角形の平面形状を有する開口部を形成することを特徴とする。
【手続補正４】
【補正対象書類名】明細書
【補正対象項目名】００２３
【補正方法】変更
【補正の内容】
【００２３】
次に、本発明の更に他の電気光学装置の製造方法は、複数の画素と、前記画素毎に光を反射する反射部及び光を透過する透過部と、を備え、前記画素内において前記反射部及び前記透過部と平面的に重なる着色層と、を具備する電気光学装置の製造方法において、少なくとも一部の前記画素において、前記反射部に対応する前記着色層に切り欠け部を形成することを特徴とする。
本発明の電気光学装置の製造方法は、電気光学物質を含む複数の画素と、前記画素毎に光を反射する反射部及び光を透過する透過部を構成する半透過反射層と、前記画素内において前記半透過反射層と平面的に重なる着色層と、を具備する電気光学装置の製造方法において、少なくとも一部の前記画素においては、前記反射部に対応する前記着色層に切り欠け部を形成することを特徴とする。
【手続補正５】
【補正対象書類名】明細書
【補正対象項目名】００２５
【補正方法】変更
【補正の内容】
【００２５】
次に、本発明の更に他の電気光学装置の製造方法は、複数の画素と、前記画素毎に光を反射する反射部及び光を透過する透過部と、を備え、前記画素内において前記反射部及び前記透過部と平面的に重なる着色層を具備する電気光学装置の製造方法において、少なくとも一部の前記画素における前記反射部に対応する前記着色層に開口部を形成すると共に、該開口部はその外周における任意の２つの接線それぞれの法線の交点の位置が分散するような形状を有することを特徴とする。
本発明の電気光学装置の製造方法は、電気光学物質を含む複数の画素と、前記画素毎に光を反射する反射部及び光を透過する透過部を構成する半透過反射層と、前記画素内において前記半透過反射層と平面的に重なる着色層と、を具備する電気光学装置の製造方法において、少なくとも一部の前記画素における前記反射部に対応する前記着色層に開口部を形成すると共に、該開口部はその外周における任意の２つの接線それぞれの法線の交点の位置が分散するような形状を有することを特徴とする。
【手続補正６】
【補正対象書類名】明細書
【補正対象項目名】００２７
【補正方法】変更
【補正の内容】
【００２７】
次に、本発明に係る電気光学装置は、複数の画素と、前記画素毎に光を反射する反射部及び光を透過する透過部と、を備え、前記画素内において前記反射部及び前記透過部と平面的に重なる着色層を具備する電気光学装置において、少なくとも一部の前記画素において、前記着色層には、前記反射部の少なくとも一部に重なる位置に開口部が形成され、前記開口部は、前記画素を横断する平面形状を有することを特徴とする。
本発明に係る電気光学装置は、電気光学物質を含む複数の画素と、前記画素毎に光を反射する反射部及び光を透過する透過部を構成する半透過反射層と、前記画素内において前記半透過反射層と平面的に重なる着色層と、を具備する電気光学装置において、少なくとも一部の前記画素において、前記着色層には、前記反射部の少なくとも一部に重なる位置に開口部が形成され、前記開口部は、前記画素を横断する平面形状を有することを特徴とする。
【手続補正７】
【補正対象書類名】明細書
【補正対象項目名】００３１
【補正方法】変更
【補正の内容】
【００３１】
次に、本発明の他の電気光学装置は、複数の画素と、前記画素毎に光を反射する反射部及び光を透過する透過部と、を備え、前記画素内において前記反射部及び前記透過部と平面的に重なる着色層を具備する電気光学装置において、少なくとも一部の前記画素において、前記反射部に対応する前記着色層は開口部となる切り欠け部を有し、一の前記画素に設けられた前記開口部は、前記一の画素に隣接する他の前記画素に設けられた前記開口部に対して、前記一の画素と前記他の画素との境界領域を挟んで隣接しないように配置されていることを特徴とする。
本発明の電気光学装置は、電気光学物質を含む複数の画素と、前記画素毎に光を反射する反射部及び光を透過する透過部を構成する半透過反射層と、前記画素内において前記半透過反射層と平面的に重なる着色層と、を具備する電気光学装置において、少なくとも一部の前記画素において、前記反射部に対応する前記着色層は開口部となる切り欠け部を有し、一の前記画素に設けられた前記開口部は、前記一の画素に隣接する他の前記画素に設けられた前記開口部に対して、前記一の画素と前記他の画素との境界領域を挟んで隣接しないように配置されていることを特徴とする。